(57)【要約】      （修正有）【課題】滑り止め及びグリップ効果を発揮し、高効率な排水効果を有する耐摩耗性滑り止めソール構造を提供する。【解決手段】耐摩耗性滑り止めソール構造は、一体形成される靴本体と、複数のＳ字型分散線１２に平行に沿って配置される少なくとも１つの横方向パターンセット２０と、少なくとも１つの左斜めパターンセット３０と、少なくとも１つの右斜めパターンセット４０と、複数のＳ字型排水路５０とを備える。また、各Ｓ字型分散線１２は靴本体の延伸方向に沿って設けられ、且つ各Ｓ字型分散線１２は靴本体の両側の上部同心点１２２及び下部同心点１２４を円心として両分して設けられ、形成される異なる半径の複数の弧線により画定される。【選択図】図２
0003218325.tif 000002
【実用新案登録請求の範囲】
【請求項１】
足裏の輪郭を模した片体である靴本体と、
前後に交錯すると共にＳ字型に沿って前記靴本体の接地面に分散配置される複数の第一接地ブロック及び第一排水路を含む少なくとも１つの横方向パターンセットと、
前後に交錯すると共にＳ字型に沿って前記靴本体の接地面に分散配置される複数の第二接地ブロック及び第二排水路を含み、且つ各前記第二接地ブロックの輪郭が前記第一接地ブロックに対して傾斜する少なくとも１つの左斜めパターンセットと、
前後に交錯すると共にＳ字型に沿って前記靴本体の接地面に分散配置される複数の第三接地ブロック及び第三排水路を含み、且つ各前記第三接地ブロックの輪郭が前記第一接地ブロックに対して傾斜する少なくとも１つの右斜めパターンセットと、
前記横方向パターンセット、前記左斜めパターンセット、及び前記右斜めパターンセットが互いに間隔を空けることで画定され、且つ前記第一排水路、前記第二排水路及び前記第三排水路に更に連通される複数のＳ字型排水路とを備え、
前記左斜めパターンセット及び前記右斜めパターンセットは前記横方向パターンセットの両側に分散されることを特徴とする耐摩耗性滑り止めソール構造。
【請求項２】
各前記第二接地ブロック及び各前記第三接地ブロックはやや左右対称に配置されることを特徴とする請求項１に記載の耐摩耗性滑り止めソール構造。
【請求項３】
前記靴本体は接地面の外周縁に隣接する箇所に厚さを有する環状帯が周設されることを特徴とする請求項１に記載の耐摩耗性滑り止めソール構造。
【請求項４】
各前記第一接地ブロック、各前記第二接地ブロック、及び各前記第三接地ブロックの接地端面の周縁には面取りが周設されることを特徴とする請求項１に記載の耐摩耗性滑り止めソール構造。
【請求項５】
各前記第一接地ブロックの輪郭略はやや矩形を呈し、その上下の長端辺は同じ長さであり、但し左右の短端辺の幅は不等であることを特徴とする請求項１〜４に記載の耐摩耗性滑り止めソール構造。
【請求項６】
各前記第二接地ブロック全体はやや偏長形態を呈し、その上下の長端辺は弧度を有することを特徴とする請求項１〜４のうちいずれか一項に記載の耐摩耗性滑り止めソール構造。
【請求項７】
各前記第三接地ブロック全体はやや偏長形態を呈ぃ、その上下の長端辺は弧度を有することを特徴とする請求項１〜４のうちいずれか一項に記載の耐摩耗性滑り止めソール構造。
【考案の詳細な説明】
【技術分野】
【０００１】
本考案は、靴の技術分野に関し、更に詳しくは、耐摩耗性滑り止めソール構造に関する。
【背景技術】
【０００２】
靴の主な機能は様々な動作中に使用者の足を保護し、快適にすることである。主に本底及びつま革で構成され、本底はゴムまたはゴム化合物で製造される。
【０００３】
本底により使用者の足裏が保護され、摩擦力、グリップ力、及び高効率の排水性が提供される。本底のパターン及び各パターン間の排水溝設計により靴の摩擦力、グリップ力、及び排水性が得られるため、本底が地面に着地させた際の滑り止め、グリップ、及び排水効果はパターンの配置により決められる。
【考案の概要】
【考案が解決しようとする課題】
【０００４】
図７は従来の本底９０のパターンを示し、主に横方向に前後に交錯して配置される複数の長方形の凸部９２及び凹部９４で構成される。従来の本底９０のパターンから分かるように、各凸部９２はその輪郭の長辺端のみを有する。すなわち、本底９０には前後方向に大きくて正方向になる接触端面及び両側方向（短辺端）に小さい接触端面を有する以外、本底９０の中軸線から偏位する他の角度には作用力に対抗する大面積の正方向の端面が存在しない。このような構造設計のため、滑り止め及びグリップの作用が前後方向にのみ制限され、且つ排水方向も左右にのみ制限され、靴の前方に対する作用力の方向との差異が生じた。斜め方向に対する作用力が生じた場合、滑り止め効果を達成できず、排水性も低下した。
【０００５】
図８を参照すると、従来の本底９０の長方形の凸部９２の側面は接地面の端面は直交する。ゆえに、その直交箇所９２２は本底９０が地面に接地する際に最大の応力を受け、直交箇所９２２が応力の集中する箇所となる。また、構造的に厚さが最も薄くなり、極めて磨損しやすかった。
【０００６】
さらに、従来の本底９０のパターン中の各凸部９２は、その個別の体積が大きすぎるため受力して変形するには不利であり、本底９０のパターンが凹凸のある地面に適合させて貼り付けられなかった。また、各凸部９２の個別の体積が大きすぎて変形しにくいため、受力した際に効果的に変形して衝撃を緩衝させることができず、滑ることがままあった。 
【０００７】
そこで、本考案者は上記の欠点が改善可能と考え、鋭意検討を重ねた結果、合理的設計で上記の課題を効果的に改善する本考案の耐摩耗性滑り止めソール構造の提案に到った。
【０００８】
本考案は、このような従来の問題に鑑みてなされたものである。上記課題解決のため、本考案は、耐摩耗性滑り止めソール構造を提供することを主目的とする。
【課題を解決するための手段】
【０００９】
上述した課題を解決し、目的を達成するために、本考案に係る耐摩耗性滑り止めソール構造の特徴は、一体形成される靴本体と、やや矩形を呈する複数の第一接地ブロックが配列されることにより構成される少なくとも１つの横方向パターンセットと、左斜めに六角形を呈する複数の第二接地ブロックが配列されることにより構成される少なくとも１つの左斜めパターンセットと、右斜めに六角形を呈する複数の第三接地ブロックが配列されることにより構成される少なくとも１つの右斜めパターンセットと、横方向パターンセット、左斜めパターンセット、及び右斜めパターンセットを分け隔てる複数のＳ字型排水路と、各第一接地ブロック、第二接地ブロック、及び第三接地ブロックを分け隔てると共に各Ｓ字型排水路に連通される第一排水路、第二排水路、及び第三排水路とを備える。前記横方向パターンセット、左斜めパターンセット、及び右斜めパターンセットは靴本体の延伸方向に沿ってＳ字カーブを呈するように配置され、且つ左斜めパターンセット及び右斜めパターンセットは横方向パターンセットの両側に更に分散される。
【考案の効果】
【００１０】
上述の部材構成により、本底の接地面が全方向の作用力に対応させ、本底が全面的に滑り止め及びグリップ効果を発揮し、水たまりを踏んだ場合でも本底が高効率の排水効果を提供する。
【図面の簡単な説明】
【００１１】
【図１】本考案の実施形態を説明する斜視概略図である。
【図２】図１に示す一実施形態を示す平面概略図（一）である。
【図３】図１に示す一実施形態を示す平面概略図（二）である。
【図４】本考案に係る第一接地ブロックの実施形態を説明する斜視概略図である。
【図５】本考案に係る第二接地ブロックの実施形態を説明する斜視概略図である。
【図６】本考案に係る第三接地ブロックの実施形態を説明する斜視概略図である。
【図７】従来の本底を示す平面概略図である。
【図８】従来の本底を示す部分概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１３】
本考案の耐摩耗性滑り止めソール構造は、一体形成される靴本体１０と、複数のＳ字型分散線１２に平行に沿って配置される少なくとも１つの横方向パターンセット２０と、少なくとも１つの左斜めパターンセット３０と、少なくとも１つの右斜めパターンセット４０と、複数のＳ字型排水路５０とを備える（図１乃至図３参照）。
【００１４】
上述の靴本体１０は足裏の輪郭を模した片体である。
【００１５】
また、上述の各Ｓ字型分散線１２（仮想）は靴本体１０の延伸方向に沿って設けられ、且つ各Ｓ字型分散線１２は靴本体１０の両側の上部同心点１２２及び下部同心点１２４を円心として両分して設けられ（概略を図示する）、形成される異なる半径の複数の弧線により画定される。
【００１６】
なお、上述の横方向パターンセット２０は靴本体１０の接地面（下端面に向けられる）に形成され、やや矩形を呈する複数の第一接地ブロック２２はその中のＳ字型分散線１２に沿って配置されることにより構成される。各第一接地ブロック２２のやや矩形を呈する輪郭の上下の長端辺は同じ長さであるが、左右の短辺端の幅は不等である。また、各第一接地ブロック２２の前後には間隔を空けて画定される第一排水路２４を有する。実施において、各第一接地ブロック２２の接地端面の周縁には面取り２２２が周設され（図４参照）、且つ各第一接地ブロックはＳ字型分散線に沿って配置されるほか、上部同心点１２２及び下部同心点１２４を円心として放射状に配置される（概略を図示する）。
【００１７】
上述の左斜めパターンセット３０は靴本体１０の接地面に形成され、複数の左斜めに六角形を呈する第二接地ブロック３２はその中のＳ字型分散線１２に沿って配置されることにより構成される。各第二接地ブロック３２全体は扁長形態を呈し、その上下の長端辺は弧度を有する。また、各第二接地ブロック３２の前後には間隔を空けて画定される第二排水路３４を有する。実施において、第二接地ブロック３２の接地端面の周縁には面取り３２２が周設され（図５参照）、且つ第二接地ブロック３２の輪郭は第一接地ブロック２２に対して傾斜する。
【００１８】
上述の右斜めパターンセット４０は靴本体１０の接地面に形成され、複数の右斜めに六角形を呈する第三接地ブロック４２はその中のＳ字型分散線１２に沿って配置されることにより構成される。各第三接地ブロック４２全体は扁長形態を呈し、その上下の長端辺は弧度を有する。また、各第三接地ブロック４２の前後の間には間隔を空けて画定される第三排水路４４を有する。実施において、第三接地ブロック４２の輪郭は第一接地ブロック２２に対して傾斜し、且つ第二接地ブロック３２の輪郭と左右対称に配置される。なお、第三接地ブロック４２の接地端面の周縁には面取り４２２が周設される（図６参照）。
【００１９】
また、上述の各Ｓ字型排水路５０は横方向パターンセット２０、左斜めパターンセット３０、及び右斜めパターンセット４０が互いに間隔を空けることで画定され、且つ各Ｓ字型排水路５０は第一排水路２４、第二排水路３４、及び第三排水路４４に更に連通される。
【００２０】
よって、上述は本考案の好ましい一実施形態に係る耐摩耗性滑り止めソール構造の各部材及び装設方式の説明であり、以下では本考案の実施形態の作用の特徴について説明する。
【００２１】
横方向パターンセット２０、左斜めパターンセット３０、及び右斜めパターンセット４０の組み合わせが靴本体１０全体に配置され、靴本体１０が地面に接触する際に広範囲の方向の受力に対応させる。即ち、靴本体１０を円心とし、どの方向からの作用力に対してもＳ字型分散線１２に沿って配置される各第一接地ブロック２２、第二接地ブロック３２、及び第三接地ブロック４２により全面的に力が受け止められ、全方向に対する滑り止め及び耐磨効果が達成される。
【００２２】
各第一接地ブロック２２、第二接地ブロック３２、及び第三接地ブロック４２の前後に第一排水路２４、第二排水路３４、及び第三排水路４２（隙間）をそれぞれ有し、各第一接地ブロック２２、第二接地ブロック３２、及び第三接地ブロック４２が受力した後に独立した変形空間を有し、各第一接地ブロック２２、第二接地ブロック３２、及び第三接地ブロック４２が独立して変形し、地面の起伏に応じて適度に貼り付けられ、摩擦力及びグリップ力の効果が強化される。
【００２３】
靴本体１０の延伸方向に沿って配置される複数のＳ字型排水路５０及び靴本体１０の横方向に沿って配置されると共に連通される複数の第一排水路２４、第二排水路３４、及び第三排水路４２により、水たまりを踏んだ場合でも、靴本体１０の縦方向及び横方向に配置される排水設計により効果的且つ高速に全方向への排水を達成させる。
【００２４】
本考案は各第一接地ブロック２２、第二接地ブロック３２、及び第三接地ブロック４２が独立して変形して受力させ、且つＳ字型分散線１２に沿って異なる位置で異なる力を受力させ、横方向パターンセット２０、左斜めパターンセット３０、及び右斜めパターンセット４０が効果的に分散させて平均的に受力させる。これにより、従来の本底では長期間局所的に磨損されるという欠点を回避させるほか、第一接地ブロック２２、第二接地ブロック３２、及び第三接地ブロック４２の周縁の面取り２２２、３２２、４２２の円弧により、従来の本底構造が磨損しやすいという欠点を克服させ、本底の耐用年数を延ばす。
【００２５】
さらに、図１及び図３に示されるように、靴本体１０の接地面の外周縁に隣接する箇所には厚さを有する環状帯１２が周設され、靴本体１０の構造強度が強化される。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１０  靴本体
１２  Ｓ字型分散線
１２  環状帯
１２２  上部同心点
１２４  下部同心点
２０  横方向パターンセット
３０  左斜めパターンセット
４０  右斜めパターンセット
２２  第一接地ブロック
２２２  面取り
２４  第一排水路
３２  第二接地ブロック
３２２  面取り
３４  第二排水路
４２  第三接地ブロック
４２２  面取り
４４  第三排水路
５０  Ｓ字型排水路
９０  本底
９２  凸部
９２２  直交箇所
９４  凹部
【図１】
0003218325.tif 000003
【図２】
0003218325.tif 000004
【図３】
0003218325.tif 000005
【図４】
0003218325.tif 000006
【図５】
0003218325.tif 000007
【図６】
0003218325.tif 000008
【図７】
0003218325.tif 000009
【図８】
0003218325.tif 000010